(57)【要約】【課題】防音・防塵用カバーによってトレー式部品供給装置をも含む装置全体を覆う構造を採りながら、コンパクトな表面実装機を提供する。【解決手段】 コンベア３の側方にトレーフィーダ６，７を装備する。このトレーフィーダ６，７を、実装用部品収納用パレット３２と、パレット収納装置３１と、パレット出入装置３３と、昇降装置３４とによって構成する。パレット収納装置３１は、パレット３２を収納するとともに、基台２上に設けたコンベア３の搬送方向と交差する水平方向に出し入れ自在に支持するパレット収納部（レール４２）を上下方向に複数備える。パレット出入装置３３は、パレット３２に係脱自在の係合部材（クランプ部材６６）を有しこの係合部材によりパレットをパレット収納部に収納された状態であるパレット収納位置とパレット収納装置外の部品吸着位置との間で水平に移動させる。前記昇降装置３４は、パレット出入装置３３を昇降させる。パレット出入装置３３と昇降装置３４とを平面視において表面実装機１の基台２の内側に配設する。この基台２の上方を囲むカバー９１を備えた。【選択図】  図１４
2006108292.tif 000002
【特許請求の範囲】
【請求項１】
プリント配線板を搬送するコンベアと、このコンベアの側方に位置する部品供給装置から前記プリント配線板に実装用部品を吸着ヘッドによって移載する部品移載装置とが基台上に設けられた表面実装機において、前記部品供給装置を、実装用部品が載置されたトレイを支持するパレットと、このパレットを収納するとともに、基台上に設けたコンベアの搬送方向と交差する水平方向に出し入れ自在に支持するパレット収納部を上下方向に複数設けたパレット収納装置と、前記パレットに係脱自在の係合部材を有しこの係合部材により前記パレットを前記パレット収納部に収納された状態であるパレット収納位置とパレット収納装置外の部品吸着位置との間で水平に移動させるパレット出入装置と、このパレット出入装置を昇降させる昇降装置とによって構成し、前記パレット出入装置と昇降装置とを平面視において前記基台の内側に配設し、この基台に、基台の上方を囲む形状に形成されたカバーを設けたことを特徴とする表面実装機。
【請求項２】
請求項１記載の表面実装機において、基台に固定された固定部材と、この固定部材の上端部に回動自在に取付けられた開閉部材とによってカバーを構成し、前記開閉部材をパレット出入装置と昇降装置とに対応する部位に設けた表面実装機。
【請求項３】
請求項２記載の表面実装機において、開閉部材を横壁と縦壁とからなる断面Ｌ字状に形成し、前記横壁の先端部をカバーの固定部材に回動自在に取付け、前記縦壁の回動端部をパレット収納装置の上面に倣う形状に形成し支承させた表面実装機。
【請求項４】
請求項３記載の表面実装機において、開閉部材の縦壁に、パレット収納装置の側方に位置する基台の上に臨む延長部を形成した表面実装機。
【発明の詳細な説明】
【技術分野】
【０００１】
本発明は、トレーフィーダを装備した表面実装機に関するものである。
【背景技術】
【０００２】
従来、表面実装機に用いるトレーフィーダとしては、例えば特許文献１または特許文献２に開示されているように、実装用部品を載置する複数の部品収納部が設けられたトレイを皿状のパレットに収納し、複数のパレットを上下方向に並べて保持するものがある。
この特許文献１に示されているトレーフィーダは、前記パレットを上下方向に並べて収納するとともに水平方向に出し入れ自在に支持するパレット収納装置を備えている。このパレット収納装置は、表面実装機とは別体に形成されており、表面実装機の側方に位置し並ぶように設置されている。
【０００３】
このパレット収納装置には、前記パレットを１枚ずつ出し入れする構造のパレット出入装置が設けられるとともに、このパレット出入装置を昇降させる昇降装置が設けられている。この昇降装置は、パレット出入装置によって引き出されたパレットをパレット出入装置とともに上昇させ、最も高い位置（部品吸着位置）に保持する。すなわち、このパレット収納装置によれば、パレットは、パレット出入装置によってパレット収納装置内から引き出され、さらに、昇降装置によって最も高い位置に移動させる。
【０００４】
このパレット収納装置の上端部には、上述したように最も高い位置に移動したパレットから実装用部品（以下、この部品をトレー部品という）を搬出するための吸着式移載装置が設けられている。この吸着式移載装置は、パレット上のトレーに収納されたトレー部品をパレット収納装置に隣接するスライド式移動装置のスライダ上に移載する。このスライド式移動装置は、前記スライダをパレット収納装置の近傍から表面実装機の吸着ヘッドの移動範囲内に移動させるように構成されている。
【０００５】
特許文献２に示されたトレーフィーダは、パレットを収納するためのパレット収納装置と、このパレット収納装置に対してパレットを水平に出し入れするためのパレット出入装置とによって構成され、表面実装機の装置後側の端部における基台の上に着脱可能に装填されている。前記パレット収納装置は、パレットを上下方向に並ぶ状態に保持するとともに水平方向に出し入れ自在に支持するラックと、このラックをパレット収納装置内で昇降させる昇降装置とを備えている。
【０００６】
すなわち、この特許文献２に示されたトレーフィーダは、パレットがパレット出入装置と同じ高さに位置するようにパレット収納装置内で上下方向に移動する。前記パレット出入装置は、表面実装機の吸着ヘッドの移動可能な範囲の内側に位置付けられており、パレット収納装置から引き出したパレット上のトレー部品が吸着ヘッドの吸着ノズルに直接吸着されるように構成されている。
【０００７】
特許文献１または特許文献２に示されたトレーフィーダを装備した従来の表面実装機は、プリント配線板搬送用のコンベアや、部品移載装置などに使用されているモータや、エアシリンダ用空気通路、吸着用空気通路などを開閉するためのソレノイドなどから騒音が発生する。従来の表面実装機は、この騒音を低減したり、部品実装部分に装置外の塵埃が付着することを防ぐために、コンベアや、吸着ノズルを有する部品移載装置などを囲むカバーを装備することがある。
なお、本出願人は、本明細書に記載した先行技術文献情報で特定される先行技術文献以外には、本発明に密接に関連する先行技術文献を出願時までに見付け出すことはできなかった。
【特許文献１】特開平３−１３３８０２号公報（第２−４頁、第２図）
【特許文献２】特開平７−３３６０８９号公報（第３−５頁、第３図）
【発明の開示】
【発明が解決しようとする課題】
【０００８】
特許文献１や特許文献２に記載されたトレーフィーダを装備した表面実装機は、上述したようにカバーを使用して防音・防塵構造を採るためには、トレーフィーダのパレット出入装置と昇降装置などの開放部分をもカバーで覆わなければならない。このため、この構成を採るためには、大型のカバーが必要になり、表面実装機が大型化してしまうという問題があった。
【０００９】
本発明はこのような問題を解消するためになされたもので、防音・防塵用カバーによってトレー式部品供給装置をも含む装置全体を覆う構造を採りながら、コンパクトな表面実装機を提供することを目的とする。
【課題を解決するための手段】
【００１０】
この目的を達成するために、本発明に係る表面実装機は、プリント配線板を搬送するコンベアと、このコンベアの側方に位置する部品供給装置から前記プリント配線板に実装用部品を吸着ヘッドによって移載する部品移載装置とが基台上に設けられた表面実装機において、前記部品供給装置を、実装用部品が載置されたトレイを支持するパレットと、複数の前記パレットを上下方向に並べて収納するとともにそれぞれコンベアの搬送方向と交差する水平方向に出し入れ自在に支持するパレット収納装置と、前記パレットをパレット収納装置内の収納位置とパレット収納装置外の部品吸着位置との間で水平に移動させるパレット出入装置と、このパレット出入装置を昇降させる昇降装置とによって構成し、前記パレット出入装置と昇降装置とを平面視において前記基台の内側に配設し、この基台に、基台の上方を囲む形状に形成されたカバーを設けたものである。
【００１１】
請求項２に記載した発明に係る表面実装機は、請求項１に記載した発明に係る表面実装機において、基台に固定された固定部材と、この固定部材の上端部に回動自在に取付けられた開閉部材とによってカバーを構成し、前記開閉部材をパレット出入装置と昇降装置とに対応する部位に設けたものである。
【００１２】
請求項３に記載した発明に係る表面実装機は、請求項２に記載した発明に係る表面実装機において、開閉部材を横壁と縦壁とからなる断面Ｌ字状に形成し、前記横壁の先端部をカバーの固定部材に回動自在に取付け、前記縦壁の回動端部をパレット収納装置の上面に倣う形状に形成し支承させたものである。
【００１３】
請求項４に記載した発明に係る表面実装機は、請求項３に記載した発明に係る表面実装機において、開閉部材の縦壁に、パレット収納装置の側方に位置する基台の上に臨む延長部を形成したものである。
【発明の効果】
【００１４】
本発明によれば、パレット出入装置と昇降装置とが基台の内側に位置しているから、防音・防塵用カバーを平面視において基台と重なるようにコンパクトに形成することができる。したがって、トレー式部品供給装置と防音・防塵用カバーとを装備したコンパクトな表面実装機を提供することができる。
【００１５】
請求項２に記載した発明によれば、開閉部材を開くことによってパレット出入装置と昇降装置の上部が露出するから、防音・防塵構造を図りながら、これら両装置のメンテナンスを容易に行うことができる。
【００１６】
請求項３に記載した発明によれば、開閉部材を開くことによって、パレット出入装置と昇降装置が水平方向と上方との二方向に露出する。したがって、一つの開閉部材を開くことにより前記両装置の周囲が広く開放されるようになるから、防音・防塵効果を高く保ちながら、前記両装置のメンテナンスをより一層容易に行うことができる。
【００１７】
請求項４に記載した発明によれば、開閉部材を開くことによってパレット収納装置の側方に位置する基台の上面が露出するから、メンテナンス時に作業空間として使用することができる空間が広くなる。
【発明を実施するための最良の形態】
【００１８】
以下、本発明に係る表面実装機の一実施の形態を図１ないし図１６によって詳細に説明する。
図１は本発明に係る表面実装機の平面図、図２は同じく正面図、図３は同じく側面図、図４は図１におけるIV−IV線断面図、図５は本発明に係る表面実装機の全体を示す斜視図である。図６はトレーフィーダの平面図、図７はトレーフィーダの斜視図、図８は昇降装置の上端部を拡大して示す斜視図、図９はパレット出入装置の斜視図、図１０は表面実装機を背面側から見た斜視図である。
【００１９】
図１１は開閉部材を閉じた状態のカバーを示す図で、同図（Ａ）は装置後側の部位が正面に位置するように平面視において１８０°回転させた平面図、同図（Ｂ）は装置後側から見た正面図で、同図は基台下部が下に位置するように１８０°回転させて描いてある。同図（Ｃ）はコンベアの上流側から見た側面図である。図１２は開閉部材を開いた状態のカバーを示す図で、同図（Ａ）は装置後側の部位が正面に位置するように平面視において１８０°回転させた平面図、同図（Ｂ）は装置後側から見た正面図で、同図は基台下部が下に位置するように１８０°回転させて描いてある。同図（Ｃ）はコンベアの上流側から見た側面図である。図１３は開閉部材を閉じた状態のカバーを示す斜視図、図１４は開閉部材を開いた状態のカバーを示す斜視図である。
【００２０】
図１５はパレットラックの斜視図、図１６はストッパーロッドの動作を示す図で、同図（Ａ）はストッパーロッドを引き上げた状態を示し、同図（Ｂ）はストッパーロッドを収納した状態を示し、同図（Ｃ）はパレットを引き出した状態を示す。同図（Ｄ）はパレットストッパーとパレット収納装置の入口上縁の高さを示す図、同図（Ｅ）はラックをパレット収納装置に挿入した状態を示す図である。
【００２１】
これらの図において、符号１で示すものは、この実施の形態による表面実装機を示す。この表面実装機１は、基台２の上にコンベア３と、部品移載装置４と、部品認識用カメラ５などが設けられており、前記コンベア３によって搬送されたプリント配線板Ｐに部品移載装置４によって両側部（図１においては上部と下部）に位置するトレーフィーダ６，７とテープ部品供給部８，９とから実装用部品（図示せず）を移載させるものである。この実施の形態において、プリント配線板Ｐは、コンベア３によって図１において右側に位置する搬入部から搬入され、コンベア３の略中央に位置する実装作業領域において実装用部品が実装された後、図１において左側に位置する搬出部から次工程の装置に搬出される。
【００２２】
この実施の形態においては、前記コンベア３によってプリント配線板Ｐを搬送する水平方向（図１においては左右方向）をＸ軸方向といい、水平面上で前記Ｘ軸方向と直交する方向（図１においては上下方向）をＹ軸方向という。また、この実施の形態では、図１において、下側を装置前側とい、図１において、上側を装置後側という。
前記テープ部品供給部８，９には、実装用部品を収納したテープを間欠的に繰り出しながら部品を順次供給する複数のテープフィーダ（図示せず）がＸ軸方向に並べられた状態で装填されている。このテープフィーダは、基台２に設けられたフィーダ取付用プレートに１０着脱可能に取付けられている。
【００２３】
前記コンベア３は、図１に示すように、装置前側のコンベア本体１１と装置後側のコンベア本体１２とによって構成されている。これらのコンベア本体１１，１２は、無端ベルトからなる搬送ベルト（図示せず）をそれぞれ装備している。これらの搬送ベルトは、図示していないベルト駆動装置によって駆動され、互いに同期する状態で走行する。このコンベア３がプリント配線板Ｐを搬送する搬送面Ｌの高さは、図２、図３および図５に示すように、基台２の上面２ａより所定の高さだけ高くなるように設定されている。
この実施の形態による装置後側のコンベア本体１２は、図示していない幅変更装置によって装置前側のコンベア本体１１との間隔を変更することができるように構成されている。
【００２４】
前記部品移載装置４は、図１〜図５に示すように、基台２のＸ軸方向の両端部でＹ軸方向に延びる一対のＹ軸フレーム２１，２１と、これらのＹ軸フレーム２１にＹ軸方向に移動自在に支持されたＸ軸フレーム２２と、このＸ軸フレーム２２にＸ軸方向に移動自在に支持されたヘッドユニット２３などを備えている。ヘッドユニット２３はＸ軸方向、Ｙ軸方向の両方向に移動自在とされる。
前記Ｙ軸フレーム２１は、図２および図３に示すように、基台２の上面２ａから上方に突出し、そのフレーム上面（Ｘ軸フレーム２２の搬送面）の位置がコンベア３の搬送面Ｌより高くなるように形成されている。
【００２５】
前記Ｘ軸フレーム２２は、前記二つのＹ軸フレーム２１どうしの間に横架されるようにＸ軸方向に水平に延設されており、図示していないボールねじ式のＸ軸フレーム用駆動装置が接続されている。この駆動装置は、一方のＹ軸フレーム２１に回転自在に設けられたボールねじ軸と、このボールねじ軸を回転させるサーボモータと、前記ボールねじ軸が螺合する状態でＸ軸フレーム２２に取付けられたナット部材などによって構成されている。
【００２６】
ヘッドユニット２３は、部品吸着用のノズル２４を先端に備えた複数の吸着ヘッド２５が設けられており、部品実装時には、これらの吸着ヘッド２５により後述するトレーフィーダ６，７またはテープ部品供給部８，９から実装用部品を吸着して取出し、部品認識用カメラ５の上方を通過させた後にプリント配線板Ｐ上に載置させる構成が採られている。
また、このヘッドユニット２３は、Ｘ軸フレーム２２の装置前側の端部に支持されており、Ｘ軸フレーム２２に設けられたボールねじ式のヘッドユニット用駆動装置（図示せず）によってＸ軸方向に往復動させられる。
【００２７】
この駆動装置は、Ｘ軸フレーム２２に回転自在に支持されたボールねじ軸と、このボールねじ軸の一端部に接続されたサーボモータと、ボールねじ軸が螺合する状態でヘッドユニット２３に取付けられたナット部材などによって構成されている。
前記部品認識用カメラ５は、吸着ノズル２４に吸着された実装用部品を下方から撮像し、実装用部品の有無、正誤、吸着位置および角度などを検出する。
【００２８】
前記トレーフィーダ６，７は、図４、図６および図７に示すように、基台２の装置後側の端部に取付けられたパレット収納装置３１と、このパレット収納装置３１に収納されたパレット３２と、前記パレット収納装置３１の前方に配設されたパレット出入装置３３と、このパレット出入装置３３を昇降させる昇降装置３４などによって構成されている。このトレーフィーダ６，７によって、本発明でいう部品供給装置が構成されている。
【００２９】
この実施の形態による表面実装機１は、２台のトレーフィーダ６，７がＸ軸方向に並ぶ状態で装備されている。以下においては、これらのトレーフィーダ６，７のうち、コンベア３の搬送方向上流側に位置する一方のトレーフィーダ６を第１のトレーフィーダ６といい、他方のトレーフィーダ７を第２のトレーフィーダ７という。
【００３０】
前記パレット３２は、上方に向けて開放する皿状に形成されており、図６および図７に示すように、内部に多数の電子部品収納区画がＸ軸方向とＹ軸方向とに規則正しく並ぶ状態で設けられた皿状のトレー３５が載置されている。この実施の形態によるパレット３２は、Ｙ軸方向の長さよりＸ軸方向の長さが長くなる平面視長方形状に形成されている。また、このパレット３２の装置前側の端部には、後述するパレット出入装置３３が係合する被係合片３６が突設されている。
前記トレー３５の各収納区画には、図示してはいないが、複数のトレー部品（実装用部品）が区画壁で互いに接触することがないように収納されている。したがって、実装時における前記部品移載装置４の吸着ノズル２４は、このトレー３５の所定のＸ軸方向位置、Ｙ軸方向位置の収納区画に収納されているトレー部品を上方から吸着する。
【００３１】
前記パレット収納装置３１は、装置前側の端部と装置後側の端部が開口する箱状に形成されており、前記基台２の装置後側の端部に形成された凹部３７（図４参照）に後方から挿入された状態で取付けられている。前記凹部３７は、基台２の装置後側の端部であってＸ軸方向の中央部に、上方と後方とに向けて開放するように形成されている。
この実施の形態によるパレット収納装置３１は、その上端部の高さがコンベア３の搬送面Ｌの高さと略等しくなるように基台２に搭載されている。
【００３２】
パレット収納装置３１の内部には、図４に示すように、水平な仕切板３８が設けられ、上側収納室３９と下側収納室４０とが形成されている。これらの上側収納室３９と下側収納室４０は、図１０に示すように、前記パレット３２を収納するためのパレットラック４１（図４参照）を後方から出し入れ自在に支持するように構成されている。なお、図４は、上側収納室３９のみにパレットラック４１が装填されている状態で描いてある。この実施の形態によるトレーフィーダ６，７のパレット収納装置３１は、複数のパレット３２がパレットラック４１に収納された状態で装填される。
【００３３】
前記パレットラック４１は、図１５に示すように、装置前側の端部と装置後側の端部が開口する箱状に形成されている。このパレットラック４１の両側部の内面には、複数のパレット３２を上下方向に並ぶ状態で保持するレール４２が設けられている。このレール４２が、パレット３２を収納するとともに、基台２上に設けたコンベア３の搬送方向と交差する水平方向に出し入れ自在に支持するパレット収納部を構成する。前記パレット３２は、このレール４２の上に前後方向に移動自在（コンベア３の搬送方向とは交差する方向に移動自在）に支承された状態でパレットラック４１内に収納されている。
【００３４】
パレットラック４１の装置前側の端部には、パレットラック４１を持ち運ぶときにパレット３２が前側へ出てしまうことを防ぐためのストッパーロッド４３が設けられている。このストッパーロッド４３は、パレットラック４１の上下方向の高さ寸法より長く形成された棒体からなり、図１５に示すように、パレットラック４１の上板４１ａに設けられた上部支持部材４４に外れることがないように保持されている。
【００３５】
この保持構造は、ストッパーロッド４３に穿設された貫通孔４３ａに前記上部支持部材４４の支持用ピン４５を嵌合させた構造が採られている。前記貫通孔４３ａは、ストッパーロッド４３を長手方向とは直交する方向に横切るように形成されるとともに、開口形状がストッパーロッド４３の長手方向に沿って長くなるように形成されている。前記支持用ピン４５は、前記上部支持部材４４に斜め前方から螺着されている。
前記ストッパーロッド４３は、図１５に示すように立てた状態では、貫通孔４３ａの上端部に支持用ピン４５が嵌合することによって下方への移動が規制される。この状態では、ストッパーロッド４３の下端部は、パレットラック４１の下部支持部材４６に嵌合する。
【００３６】
ストッパーロッド４３は、このように立てた状態では、上端部がパレットラック４１から上方に突出するように形成されている。すなわち、図１６（Ｄ）に示すように、ストッパーロッド４３を立てた状態では、パレット収納装置３１の挿入口３１ａの上端縁にストッパーロッド４３の上端突出部４３ｂが当接し、パレットラック４１を前記挿入口３１ａ内に挿入することができないように構成されている。また、この状態では、パレットラック４１内に収納されたパレット３２は、ストッパーロッド４３に当たることによって、装置前側へ出ることが規制される。これにより、パレットラック４１を運搬するに際してパレット３２がパレットラック４１から飛び出して脱落することがない。
【００３７】
この状態からストッパーロッド４３を上方に引き上げることによって、図１６（Ａ）に示すように、前記支持用ピン４５が貫通孔４３ａの下端部に位置するようになる。さらに、この状態で支持用ピン４５を中心にしてストッパーロッド４３を横に倒すことにより、図１６（Ｂ）に示すように、ストッパーロッド４３が前記上板４１ａの上に載置されるようになる。上板４１ａには、ストッパーロッド４３の先端部を係止するための係止片４７が突設されており、この係止片４７にストッパーロッド４３が係止されることによって、ストッパーロッド４３は上板４１ａの上に固定される。
【００３８】
このようにストッパーロッド４３を上板４１ａの上に倒して収納することによって、図１６（Ｅ）に示すように、パレットラック４１をパレット収納装置３１の挿入口３１ａ内に挿入することができるようになるとともに、図１６（Ｃ）に示すように、パレット３２をパレットラック４１内から装置前側へ引き出すことができるようになる。
【００３９】
前記パレット収納装置３１の装置後側の端部には、図１０〜図１４に示すように、前記上側収納室３９と下側収納室４０の挿入口３１ａを開閉するための蓋体５１が収納室毎に設けられている。これらの蓋体５１は、下端部を支点として上端部が前後方向に移動するように開閉する。
【００４０】
前記パレット収納装置３１の前方であって基台２の前記凹部３７内には、図４に示すように、パレット３２を前記パレットラック４１から引き出したり、パレットラック４１内に戻すためのパレット出入装置３３が後述する昇降装置３４に支持された状態で配設されている。このパレット出入装置３３は、図１に示すように、平面視において、前記部品移載装置４のヘッドユニット２３の移動可能な範囲の内側に位置付けられている。
【００４１】
このパレット出入装置３３は、図７および図９に示すように、後述する昇降装置３４に支持された支持用フレーム６１と、この支持用フレーム６１にＹ軸方向に延びるように設けられたガイドレール６２と、このガイドレール６２にＹ軸方向に移動自在に支持されたスライダ６３と、このスライダ６３を駆動する駆動装置６４などによって構成されている。
【００４２】
前記支持用フレーム６１は、図７に概略構成を示すように、装置前側（同図において手前側）から見て上方に向けて開放するコ字状に形成されている。この支持用フレーム６１のＸ軸方向の両端部において上下方向に延びる側壁６１ａの上端部には、図９に示すように、パレット３２を摺動自在に支持するための支持部材６５が設けられている。
【００４３】
前記スライダ６３の装置後側の端部には、図９に示すように、前記パレット３２の前記被係合片３６に係合する係合部材である一対のクランプ部材６６，６６が設けられている。これらのクランプ部材６６は、平面視において他方のクランプ部材６６に向けて開放するコ字状のフック６６ａを備え、前記スライダ６３にＸ軸方向に移動自在に支持されるとともに、スライダ６３に設けられたエアシリンダ６７に接続されている。
【００４４】
このエアシリンダ６７は、図示してはいないが、シリンダ本体の両端部からピストンロッドが突出する構造ものである。前記クランプ部材６６は、このエアシリンダ６７の前記ピストンロッドに取付けられている。すなわち、これらのクランプ部材６６，６６は、フック５６ａどうしの間隔が拡がる拡張形態と、フック６６ａどうしの間隔が狭くなるクランプ形態とを採ることができるように構成されている。
【００４５】
前記フック６６ａは、パレット３２に設けられた前記被係合片３６にこれを両側から挟む状態で係合するように形成されている。すなわち、クランプ部材６６を前記拡張形態としてスライダ６３をパレット３２側（装置後側）へ移動させ、両クランプ部材６６どうしの間に被係合片３６が位置する状態でクランプ部材６６を前記クランプ形態とすることによって、両クランプ部材６６の間に被係合片３６が係合する。
【００４６】
スライダ６３を駆動する前記駆動装置６４は、スライダ６３に両端部が固定された伝動用ベルト６８と、この伝動用ベルト６８が添接する駆動用プーリ６９に駆動用ベルト７０を介して接続された駆動用モータ７１とから構成されている。この駆動装置６４によれば、駆動用モータ７１の回転が駆動用ベルト７０から駆動用プーリ６９を介して伝動用ベルト６８に伝達され、この伝動用ベルト６８が移動（回転）することによって、スライダ６３がガイドレール６２上を移動する。
【００４７】
すなわち、図９に示すように、ガイドレール６２の装置前側の端部に位置するスライダ６３をパレット収納装置３１側へ後退させるためには、駆動用モータ７１によって駆動用プーリ６９を同図において反時計方向に回転させ、伝動用ベルト６８を反時計方向に回るように駆動することによって行う。また、スライダ６３のクランプ部材６６がパレット３２の被係合片３６に係合している状態で前記駆動用プーリ６９を駆動用モータ７１によって時計方向へ回転させることによって、スライダ６３が装置前側へ移動し、これに伴ってパレット３２が前記支持部材６５上を装置前側に水平に引き出される。すなわち、パレット３２は、パレット収納装置３１内のパレット収納部であるレール４２に収納されているときの収納位置と、パレット出入装置３３によってパレット収納装置３１外に引き出されたときの部品吸着位置との間で水平に移動することになる。
【００４８】
前記パレット出入装置３３を支持する昇降装置３４は、図４、図７および図８に示すように、基台２の前記凹部３７内でこの凹部３７の内側壁３７ａに沿って上下方向に延びるボールねじ軸７２と、このボールねじ軸７２の両側（Ｙ軸方向の両側）で上下方向に延びるリニアシャフト７３，７３と、これらの軸部材の途中に設けられた支持用アーム７４と、前記ボールねじ軸７２の上端部に駆動用ベルト７５を介して接続された駆動用モータ７６と、ボールねじ軸７２の上端縁部に設けられた電磁ブレーキ７７などによって構成されている。
【００４９】
この昇降装置３４のボールねじ軸７２を有する駆動部は、パレット出入装置３３に対して装置外側に配設されている。言い換えれば、第１のトレーフィーダ６の昇降装置３４は、コンベア３の搬送方向の上流側に位置付けられ、第２のトレーフィーダ７の昇降装置３４は、コンベア３の搬送方向の下流側に位置付けられている。
【００５０】
前記ボールねじ軸７２とリニアシャフト７３は、図４、図７および図８に示すように、基台２に支持台７８を介して支持されている。この支持台７８は、図７、図８および図１０に示すように、基台２の上面から上方に延びる前側本体７８ａおよび後側本体７８ｂと、これら両本体７８ａ，７８ｂの上端部どうしの間に架け渡された支持板７８ｃとによって門形状に形成されている。
【００５１】
前記ボールねじ軸７２は、この支持台７８に回転自在に支持され、このボールねじ軸７２の両側に位置するリニアシャフト７３，７３は、支持台７８に固定されている。また、これらの軸部材の下端部どうしは、図４に示すように、連結部材７９によって連結されている。ボールねじ軸７２の下端部は、この連結部材７９に回転自在に支持されている。
【００５２】
これらの軸部材の途中に設けられた支持用アーム７４は、図４および図８に示すように、前記ボールねじ軸７２が螺合するナット部材８０と、前記リニアシャフト７３に移動自在に嵌合する軸受部材８１と、これらのナット部材８０と２個の軸受部材８１とを互いに結合する板状の連結部材８２と、この連結部材８２からＸ軸方向に延びる２本のアーム本体８３，８３とによって構成されている。これらのアーム本体８３は、Ｙ軸方向に間隔をおいて並ぶように形成され、先端部の上にパレット出入装置３３の支持用フレーム６１が取付けられる。すなわち、この支持用アーム７４は、アーム本体８３によりパレット出入装置３３を片持ち式で支持している。
【００５３】
前記ボールねじ軸７２の上端部は、前記支持台７８より上方に突出している。この突出部には、前記駆動用ベルト７５が巻掛けられる駆動用プーリ８４と電磁ブレーキ７７とが設けられている。前記駆動用ベルト７５を介してボールねじ軸７２に接続された駆動用モータ７６は、支持台７８に対して凹部３７とは反対側に位置付けられており、軸線方向が上下方向を指向する状態で支持台７８に取付けられている。すなわち、ボールねじ軸７２と駆動用モータ７６とを接続する駆動用ベルト７５は、ボールねじ軸７２からＸ軸方向に沿ってパレット出入装置３３とは反対側に延びている。
【００５４】
前記電磁ブレーキ７７は、支持用アーム７４に加えられた重量によってボールねじ軸７２が遊転することを阻止するためのもので、通電されることによって制動状態が解除され、通電が絶たれることによって制動状態になるものが使用されている。この実施の形態による電磁ブレーキ７７は、図４に示すように、上端面の高さがコンベア３の搬送面Ｌの高さと略等しくなるように構成されている。これにより、前記駆動ベルト７５、駆動用モータ７６、電磁ブレーキ７７が基台２の上面２ａより上方に位置することになり保守管理の作業性を向上させることができる。さらに、前記駆動ベルト７５と電磁ブレーキ７７を前記支持台７８の上側としており、より保守管理の作業性を向上させることができる。
【００５５】
このように構成された昇降装置３４においては、駆動用モータ７６の回転が駆動用ベルト７５を介してボールねじ軸７２に伝達され、ボールねじ軸７２が回転することによって、支持用アーム７４がリニアシャフト７３に沿って上昇または下降する。また、この昇降装置３４は、支持用アーム７４が最も高い位置に上昇した状態でパレット出入装置３３の上端部がコンベア３の搬送面Ｌと略同じ高さに位置し、部品移載装置４の吸着ヘッド位置より低くなるように構成されている。ここでいう吸着ヘッド位置とは、図４に示すように、吸着ヘッド２５が移動するときの吸着ノズル２４の下端の高さのことである。
【００５６】
上述したように構成されたトレーフィーダ６，７を備えた表面実装機１において、トレーフィーダ６，７からトレー部品をプリント配線板Ｐに移載するためには、先ず、昇降装置３４によってパレット出入装置３３を所望のパレット３２と同じ高さに上昇または下降させる。そして、パレット出入装置３３のクランプ部材６６を拡張形態としてスライダ６３を装置後側に移動させ、クランプ部材６６にパレット３２の被係合片３６を係合させる。次に、前記スライダ６３を装置前側へ移動させ、このパレット出入装置３３を昇降装置３４によって最も高い位置まで上昇させる。
【００５７】
この状態で、部品移載装置４のヘッドユニット２３をパレット出入装置３３の上方に移動させ、吸着ノズル２４にパレット３２上のトレー部品を吸着させる。部品吸着後、ヘッドユニット２３をカメラ５の上方を通過させてコンベア３上のプリント配線板Ｐの上方に移動させる。そして、このヘッドユニット２３によって、前記カメラ５による撮像結果に基づいてトレー部品をその高さ、角度が修正された状態でプリント配線板Ｐの所定の実装位置に移載する。
【００５８】
パレット３２上のトレー部品が全て移載された場合や、他のパレット３２のトレー部品を実装するような場合は、先ず、パレット出入装置３３上にあるパレット３２をパレット収納装置３１内に戻し、その後に新たにパレット３２をパレット出入装置３３上に引き出す。
この実施の形態による表面実装機１は、２台あるトレーフィーダ６，７のうち、吸着ノズル２４による吸着が行われていない方のトレーフィーダにおいて、パレット３２の上記交換動作や、パレットラック４１の交換が行われる。
【００５９】
この実施の形態による表面実装機１は、図１１〜図１４に示すように、基台２の上に位置する前記各装置を覆うためにカバー９１を備えている。
このカバー９１は、表面実装機１の騒音を低減する（防音）とともに塵埃が装置内に入ることを防ぐ（防塵）ためのもので、基台２上のコンベア３と、部品移載装置４と、トレーフィーダ６，７およびテープ部品供給部８，９の少なくとも不図示の電子部品取出部とを装置の前後方向と左右方向および上方から覆うように形成されている。
【００６０】
詳述すると、このカバー９１は、図１１〜図１４に示すように、壁部材から構成される直方体の底が抜けた状態の形状、言い換えれば下方に向けて開放する箱状に形成されている。このカバー９１は、複数の部材を組合わせることによって構成された固定部材９１Ａと、この固定部材９１Ａに回動自在に取付けられた開閉部材９１Ｂとによって構成されている。
【００６１】
前記固定部材９１Ａは、基台２の四隅と対応する部位に位置する４個のコーナーカバー９２〜９５と、これらのコーナーカバー９２〜９５のうちコンベア３の搬送方向の上流側に位置する二つのコーナーカバー９２，９３どうしの間に設けられた第１のセンターカバー９６と、コンベア３の搬送方向の下流側に位置する二つのコーナーカバー９４，９５どうしの間に設けられた第２のセンターカバー９７と、これら第１および第２のセンターカバー９６，９７どうしの間に設けられた第３のセンターカバー９８とによって構成されている。前記開閉部材９１Ｂは、装置前側｛図１１（Ａ）、図１２（Ａ）においては上側｝に位置する二つのコーナーカバー９２，９４どうしの間に設けられた前側開閉部材９９と、装置後側に位置する二つのコーナーカバー９３，９５どうしの間に設けられた後側開閉部材１００とから構成されている。
【００６２】
また、このカバー９１は、平面視において基台２と同等の形状となるように形成されている。さらに、このカバー９１の後面１０１（装置後側の端面）は、例えば図１１（Ａ）に示すように、トレーフィーダ６，７の前記蓋体５１と略同一平面上に位置して装置前面を構成するように形成されている。言い換えれば、このカバー９１は、平面視においてトレーフィーダ６，７を装備した基台２から水平方向に大きく突出することがないような形状に形成されている。
【００６３】
この実施の形態によるカバー９１は、例えば図１４に示すように、Ｘ軸方向の両端部に搬入口１０２と搬出口１０３とが形成されている。搬入口１０２には、コンベア３の上流側端部が臨み、搬出口１０３には、コンベア３の下流側端部が臨んでいる。
カバー９１を構成する前記各部材のうち、後述する前側開閉部材９９と後側開閉部材１００を除く他の構成部材は、図示していないフレームを介して基台２に移動することがないように固定されている。
【００６４】
前側開閉部材９９と後側開閉部材１００は、前記第３のセンターカバー９８にＸ軸方向を回動軸線とする蝶番１０４｛図１１（Ａ）、図１２（Ｂ）、図１３参照｝を介して回動自在に接続された横壁１０５と、この横壁１０５の回動端部に設けられた縦壁１０６とによって断面Ｌ字状に形成されており、前記蝶番１０４を支点にして図１３または図１４に示すように開閉する。前記前側開閉部材９９は、この表面実装機１のテープフィーダ８，９と対応する部位に設けられている。この前側開閉部材９９が開くことによって、テープフィーダ８，９が装置外に露出する。
【００６５】
前記後側開閉部材１００は、トレーフィーダ６，７と対応する部位に設けられている。この後側開閉部材１００によって、請求項２に記載した発明でいう開閉部材が構成されている。この後側開閉部材１００の前記縦壁１０６の先端部（回動端部）は、図１１（Ｂ）および図１３に示すように、後側開閉部材１００を閉じた状態でパレット収納装置３１の上面に当接するように形成されている。すなわち、後側開閉部材１００を開くことによって、トレーフィーダ６，７の上端部が装置外に露出することになる。
【００６６】
この実施の形態による表面実装機１は、トレーフィーダ６，７のパレット出入装置３３と昇降装置３４とが基台２の内側に設けられているから、平面視において基台２と重なるように形成したカバー９１によって基台２上の表面実装機１の各装置と、トレーフィーダ６，７のパレット出入装置３３と昇降装置３４とを覆うことができる。
したがって、この表面実装機１は、トレーフィーダ６，７を含めて装置全体を防音・防塵用カバーで覆う構造を採っているにもかかわらず、コンパクトに形成することができた。
【００６７】
この実施の形態による表面実装機１は、後側開閉部材１００を開くことによって、トレーフィーダ６，７のパレット出入装置３３と昇降装置３４の上部が露出する。このため、これら両装置３３，３４のメンテナンスは、後側開閉部材１００を開いた状態で容易に行うことができる。後側開閉部材１００は横壁１０５と縦壁１０６とによって断面Ｌ字状に形成されているから、この後側開閉部材１００を開くことによって、パレット出入装置３３と昇降装置３４とが水平方向と上方との二方向に露出することになる。したがって、一つの後側開閉部材１００を開くだけで前記両装置３３，３４の周囲が広く開放されるから、前記メンテナンスを行うに当たって後側開閉部材１００が邪魔になることがない。
【００６８】
この実施の形態による表面実装機１は、一端がそれぞれ前側開閉部材９９および後側開閉部材１００に接続され、他端がそれぞれ第３のセンターカバー９８、あるいは９２〜９５のいずれかのコーナーカバーに接続された主にシリンダとピストンから構成される不図示のシリンダ装置が設けられている。この各シリンダ装置には加圧空気が内蔵され、前側開閉部材９９、後側開閉部材１００の自重に抗するように作用し、開のために荷重を軽減するとともに、前側開閉部材９９および後側開閉部材１００をそれぞれ全開位置に保持する。
【００６９】
各シリンダ装置の両端の接続配置によっては、前側開閉部材９９および後側開閉部材１００の全閉位置においても、内蔵される加圧空気により全閉位置に保持できるように、各シリンダ装置の両端の接続配置を設定してもよい。なお、本実施の形態による表面実装機１は、基台２の上面２ａやパレット収納装置３１への前側開閉部材９９および後側開閉部材１００の当接部分に、それぞれ磁石を配置し、前側開閉部材９９および後側開閉部材１００をそれぞれに全閉位置に保持できるようにしている。
なおさらに、カバー９１は、開放部の平面視形状は、必ずしも矩形である必要はなく、必要に応じ円形等所望の形状であってもよい。また天井部も必ずしも平坦である必要はなく、必要に応じドーム状等所望の形状であってもよい。
【図面の簡単な説明】
【００７０】
【図１】本発明に係る表面実装機の平面図である。
【図２】本発明に係る表面実装機の正面図である。
【図３】本発明に係る表面実装機の側面図である。
【図４】図１におけるIV−IV線断面図である。
【図５】本発明に係る表面実装機の全体を示す斜視図である。
【図６】トレーフィーダの平面図である。
【図７】トレーフィーダの斜視図である。
【図８】昇降装置の上端部を拡大して示す斜視図である。
【図９】パレット出入装置の斜視図である。
【図１０】表面実装機を背面側から見た斜視図である。
【図１１】開閉部材を閉じた状態のカバーを示す図である。
【図１２】開閉部材を開いた状態のカバーを示す図である。
【図１３】開閉部材を閉じた状態のカバーを示す斜視図である。
【図１４】開閉部材を開いた状態のカバーを示す斜視図である。
【図１５】パレットラックの斜視図である。
【図１６】ストッパーロッドの動作を示す図である。
【符号の説明】
【００７１】
１…表面実装機、２…基台、３…コンベア、４…部品移載装置、６，７…トレーフィーダ、２１…Ｙ軸フレーム、２２…Ｘ軸フレーム、２３…ヘッドユニット、２４…吸着ノズル、２５…吸着ヘッド、３１…パレット収納装置、３２…パレット、３３…パレット出入装置、３４…昇降装置、９１…カバー、１００…後側開閉部材、１０４…蝶番、１０５…横壁、１０６…縦壁。
【図１】
2006108292.tif 000003
【図２】
2006108292.tif 000004
【図３】
2006108292.tif 000005
【図４】
2006108292.tif 000006
【図５】
2006108292.tif 000007
【図６】
2006108292.tif 000008
【図７】
2006108292.tif 000009
【図８】
2006108292.tif 000010
【図９】
2006108292.tif 000011
【図１０】
2006108292.tif 000012
【図１１】
2006108292.tif 000013
【図１２】
2006108292.tif 000014
【図１３】
2006108292.tif 000015
【図１４】
2006108292.tif 000016
【図１５】
2006108292.tif 000017
【図１６】
2006108292.tif 000018